(57)【特許請求の範囲】
【請求項１】
情報機器と電気的接続するカード端子部が一端に形成され該情報機器のカードスロット内に装着されるカード本体部と、該カード本体部が装着された状態で該カードスロットから張り出したカード拡張部とを備え、チップカードを接続保持する情報機器用端末において、
前記カード拡張部には、前記チップカードを装着するチップスロットが設けられており、該チップスロットの挿入口は、前記カード本体部が前記カードスロット内に装着された場合に該カードスロットと対向する側面に配置され、前記チップカードは、該チップカードの一部が露出している
ことを特徴とする情報機器用端末。
【請求項２】
情報機器のＵＳＢスロット内に装着され該情報機器と電気的接続するＵＳＢプラグと、該ＵＳＢプラグが装着された状態で該ＵＳＢスロットから張り出した端末本体部とを備え、チップカードを接続保持する情報機器用端末において、
前記端末本体部には、前記チップカードを装着するチップスロットが設けられており、該チップスロットの挿入口は、前記ＵＳＢプラグが前記ＵＳＢスロット内に装着された場合に該ＵＳＢスロットと対向する側面に配置され、前記チップカードは、該チップカードの一部が露出している
ことを特徴とする情報機器用端末。
【発明の詳細な説明】
【技術分野】
【０００１】
本発明は、例えば、携帯型コンピュータやＰＤＡ（Personal Digital Assistant）等の情報機器に差し込まれるＰＣカードや、ＵＳＢ通信端末等の情報機器用端末に関し、特に、ＳＩＭ（Subscriber Identity Module）カード、ＵＩＭ（User Identity Module）カード又はＵＳＩＭ（Universal Subscriber Identity Module）カード等のように、識別情報が記録されたチップカードを、ＰＣカード又はＵＳＢ通信端末（情報機器用端末）に接続保持する技術に関する。
【背景技術】
【０００２】
一般に、この種のＰＣカードには、情報機器（携帯型コンピュータ、以下「ＰＣ」ともいう。）の機能を拡張し、無線通信用の送受信端末として用いられるものがある。
このようなＰＣカードの一つを複数の者で使用する場合には、加入者ごとの使用を管理するため、個人データや契約電話番号等の識別情報が記録されたＳＩＭカードをＰＣカードに装着した状態で、そのＰＣカードをＰＣのカードスロットから挿入して電気的接続をし、ＳＩＭカードの識別情報をＰＣカードを介して送信するようにしている。
【０００３】
ところで、ＰＣカードは、ＰＣＭＣＩＡ（Personal Computer Memory Card International Association）の規格に従い、例えばＴｙｐｅ２の場合、その大きさが幅：５４ｍｍ×長さ：８６．５ｍｍ×厚さ：５ｍｍに規定されている。
このような極薄のＰＣカードに、厚さが０．８ｍｍ程度のＳＩＭカードを装着する場合、設置スペース等の観点から、種々の設計上の困難を伴う（例えば非特許文献１参照）。
【０００４】
そのため、従来技術においては、ＰＣカードの内部にＳＩＭカードをスライドして挿入するだけの機構を採用し、取り外しの際、ＳＩＭカードの露出部分を掴むためその操作性が悪く、また、掴んだ部分に曲げ応力等が発生するため内部破壊を招くおそれがあった。
【０００５】
近年、上述した操作性や接続信頼性等の問題を解決するため、イジェクト機構を採用したＰＣカードが提案されている。
このＰＣカードにおいては、ＰＣカードの中腹部分を切り欠き、その部分に取り付けたイジェクト機構により、ＳＩＭカードをＰＣカードの挿入方向と直交する方向に抜き差しするようにしている。
【先行技術文献】
【特許文献】
【０００６】
【非特許文献１】“ＪＩシステムズ”、[平成１６年７月６日検索]、インターネット<http://www.jisystems.co.jp/jisys/icsys/icsys.html>
【発明の概要】
【発明が解決しようとする課題】
【０００７】
従来のＰＣカードにおいては、その動作中にＳＩＭカードが誤って抜き取られた場合、ＰＣカードの回路基板等が破壊するおそれがあるため、ＰＣカードがＰＣに装着された状態では、ＳＩＭカードが抜き取られるような誤操作からＰＣカードを保護する必要がある。
【０００８】
一方、上記イジェクト機構採用のＰＣカードにおいては、ＰＣカードの中腹部分にイジェクト機構用の切り欠きが形成されいるため、ＰＣカード自体の強度が弱くなり、これを補強してもＰＣカードの捩れ等により、この回路基板等を破壊するおそれがあった。
また、ＰＣカードの切り欠きやイジェクト機構の挿入口は、ＳＩＭカード又はＰＣカードの回路基板等を、ＰＣ内部の電気的ノイズの影響下におくことになり、これによって生じるノイズはシールドによっても十分に対策しきれないという問題もあった。
【０００９】
従って、本発明の目的は、カード自体の強度を保持して回路基板等の破壊を防止できると共に、情報機器に装着された状態でＳＩＭカードが抜き取られるという誤操作を防止できる情報機器用端末を提供することにある。
【００１０】
また、本発明の他の目的は、情報機器の内部で生じる電気的ノイズの影響を受けにくい情報機器用端末を提供することにある。
【課題を解決するための手段】
【００１１】
本発明は、ＰＣカード等のカード型端末、又はＵＳＢ通信端末等のボックス型端末に適用されるもので、前者の場合、情報機器と電気的接続するカード端子部が一端に形成され該情報機器のカードスロット内に装着されるカード本体部と、該カード本体部が装着された状態で該カードスロットから張り出したカード拡張部とを備え、チップカードを接続保持する情報機器用端末において、前記カード拡張部には、前記チップカードを装着するチップスロットが設けられており、該チップスロットの挿入口は、前記カード本体部が前記カードスロット内に装着された場合に該カードスロットと対向する側面に配置されることを特徴とする情報機器用端末を提供することにより前記目的を達成したものである。
【００１２】
また、本発明は、ボックス型端末の場合、情報機器のＵＳＢスロット内に装着され該情報機器と電気的接続するＵＳＢプラグと、該ＵＳＢプラグが装着された状態で該ＵＳＢスロットから張り出した端末本体部とを備え、チップカードを接続保持する情報機器用端末において、前記端末本体部には、前記チップカードを装着するチップスロットが設けられており、該チップスロットの挿入口は、前記ＵＳＢプラグが前記ＵＳＢスロット内に装着された場合に該ＵＳＢスロットと対向する側面に配置されることを特徴とする情報機器用端末を提供することにより前記目的を達成したものである。
【００１３】
本出願において、「回路基板」の面は、接続端子の面を含めたものである。
【発明の効果】
【００１４】
本発明がカード型端末である場合、この発明によれば、カード拡張部にチップスロットを設け、これにチップカードを装着することにより、チップカードを、情報機器の外部で接続保持し、情報機器の内部で生じる電気的ノイズの影響下から外すことができる。
【００１５】
また、本発明によれば、チップスロットの挿入口を、情報機器のカードスロットと対向する側面に配置することにより、情報機器用カードが情報機器のカードスロット内に装着された状態で、この情報機器用カードからチップカードが抜き取られるという誤操作を防止できる。
【００１６】
本発明がボックス型端末である場合も、上記同様の効果を奏する。
【図面の簡単な説明】
【００１７】
【図１】（ａ）は第１実施形態のＰＣカードの概略構成を示す平面図、（ｂ）は同ＰＣカードの右面図、（ｃ）は同ＰＣカードの正面断面図である。
【図２】（ａ）は第１実施形態のＰＣカードがＰＣに装着された状態を示す平面図、（ｂ）は同ＰＣカード及びＰＣの正面図である。
【図３】（ａ）は第２実施形態のＰＣカードの概略構成を示す平面図、（ｂ）は（ａ）におけるＰ部分の拡大図である。
【図４】（ａ）は図３（ａ）の線分Ｘ−Ｘに沿った右側面断面図、（ｂ）は図３（ａ）の線分Ｙ−Ｙに沿った正面断面図である。
【図５】（ａ）は第３実施形態のＵＳＢ通信端末の概略構成を示す平面図、（ｂ）は同ＵＳＢ通信端末の右側面図、（ｃ）は同ＵＳＢ通信端末がＰＣに装着された状態を示す平面図である。
【発明を実施するための形態】
【００１８】
以下、本発明の情報機器用端末の好ましい一実施形態（第１実施形態）を図１及び図２を参照して説明する。
【００１９】
図１（ａ）は、本実施形態（第１実施形態）のＰＣカード（情報機器用端末）の概略構成を示す平面図、図１（ｂ）は、同ＰＣカードの右側面図、図１（ｃ）は同ＰＣカードの正面断面図である。
【００２０】
図２（ａ）は、本実施形態のＰＣカードがＰＣ（情報機器）に装着された状態を示す平面図、図２（ｂ）は同ＰＣカード及びＰＣの正面図である。
【００２１】
図１又は図２に示すように、本実施形態のＰＣカード１は、カード型通信端末であり、ＳＩＭカード（チップカード）２を接続保持し、ＰＣ１０のＰＣスロット（カードスロット）１１に装着された状態で、このＰＣ１０を無線通信端末としてその機能を拡張するものである。
ＳＩＭカード２は、識別情報が記録された回路基板（図示しない）を内蔵し、裏面に接続端子２ａが形成された矩形カード状のものである。
以下、このようなＰＣカード１の構成を具体的に述べる。
【００２２】
図１（ａ）〜（ｃ）に示すように、ＰＣカード１は、カード本体部３と、カード拡張部４とからなる。
【００２３】
カード本体部３は、樹脂製フレーム枠に金属薄板が重ね合わせて組み込まれた薄型の矩形ケース状のものであり、プリント基板９等が内蔵されている。
プリント基板９の一端には、ＰＣカードバス（３２ビット）用のカード端子部３ａが形成されている。
このカード端子部３ａは、カード本体部の一端側（ＰＣカードの挿入側）から露出し、ＰＣスロット１１の奥部に取り付けられたＰＣ端子部１２と電気的接続するようになっている（図２（ｂ）参照）。
【００２４】
カード拡張部４は、カード本体部３の他端からその長手方向（ＰＣカードの抜取方向）Ａ−に延出した肉厚のケース体であり、カード本体部３から跨ったプリント基板９の他端部分や、内部アンテナ（図示しない）が内蔵されている。
このようなカード拡張部４は、カード本体部３がＰＣスロット１１内に装着された状態で、このＰＣスロット１１の挿入口から張り出して配置されるようになっている（図２（ａ）（ｂ）参照）。
ここに、カード拡張部４は、当該装着状態では、ＰＣ１０の側面１０ａ（ＰＣスロット１１の端面とほぼ同一面）に対し、操作者の指を挿入できない程度の小さい隙間をおいて配置され、以下、カード拡張部４の側面につき、ＰＣ１０の側面１０ａと対向する面を「基準対向面」４ａとする。
【００２５】
なお、カード拡張部４には、通信状態のＯＮ／ＯＦＦを示すインジケータ５や、回転収納式の外部アンテナ６等が取り付けられている。
【００２６】
本実施形態の場合、カード拡張部４の内部には、差し込まれたＳＩＭカード２を装着するチップスロット７が設けられている。
チップスロット７は、一端が開口した薄型ケース状のチップケース部７ａを有し、このチップケース部７ａが、プリント基板９の上方でこれと平行になり、その挿入口が基準対向面４ａ上になるように配置されている。
チップケース部７ａは、ＳＩＭカード２の接続端子２ａを下面側に露出し、これをプリント基板９上のバネ性端子９ａと電気的接続させるようになっている。
【００２７】
このようなチップケース部７ａは、ＳＩＭカード２の抜き差しに伴って、ＳＩＭカード２の挿入方向Ａ−又は抜取方向Ａ＋に往復移動するように構成されている。
すなわち、チップスロット７は、チップケース部７ａが、ＳＩＭカード２の挿入に伴ってこの挿入方向Ａ−に移動し、カード拡張部４の内部での係合によりＳＩＭカード２の後端縁部分（挿入口側部分）を基準対向面４ａ上又はこれより内側に配置させるようになっている。
また、チップスロット７は、チップケース部７ａの挿入口部分の押下により当該係合を解除し、チップケース部７ａが、ＳＩＭカード２の抜取方向Ａ＋に移動してＳＩＭカード２の後端縁部分を露出させるようになっている。
【００２８】
カード拡張部４には、ＳＩＭカード２の装着性を向上させる観点から、切り欠き部８が形成されている。
この切り欠き部８は、基準対向面４ａからＳＩＭカード２の挿入方向Ａ−に、指の外形に合わせた凹曲面状にへこんで、チップスロット７の口元部分と重なっており、チップスロット７に装着されたＳＩＭカード２の後端部を露出するようになっている。
【００２９】
次に、本実施形態のＰＣカード１の使用態様又は作用を説明する。
【００３０】
図２（ａ）（ｂ）に示すように、ＳＩＭカード２をカード拡張部４のチップスロット７に装着し、このＰＣカード１を、ＰＣスロット１１内に装着した場合、カード端子部３とＰＣ端子部１２との電気的接続により、ＰＣ１０は、ＰＣカード１に電源を供給して無線通信可能な状態になる。
【００３１】
このような状況下では、カード拡張部４は、この基準対向面４ａが、ＰＣスロット１１の端面上のＰＣ１０の側面１０ａに対し、指が挿入できない程度の小さい隙間をおいて配置され、チップスロット７の挿入口が基準対向面４ａ上にあるため、操作者は、ＰＣ１０が無線通信を行っている間、チップスロット７内に装着されているＳＩＭカード２を抜き取ることができない。
【００３２】
以上述べたように、本実施形態によれば、カード拡張部４にチップスロット７を設け、これにＳＩＭカード２を装着するようにしたことから、ＳＩＭカード２を、ＰＣ１０の外部で接続保持し、ＰＣ１０の内部で生じる電気的ノイズの影響下から外すことができる。
【００３３】
また、本実施形態によれば、カード拡張部４内でチップケース部７ａの往復移動によりＳＩＭカード２を抜き差しするようにしたことから、カード本体部に切り欠きを設けなくて済むため、カード自体の強度を保持して回路基板等の破壊を防止できる。
【００３４】
特に、この点について、カード拡張部４の基準対向面４ａ（チップスロット７の口元）に切り欠き部８を設けて、装着されたＳＩＭカード２の後端部を露出するようにしたことから、ＳＩＭカード２を抜き差しする際に、このＳＩＭカード２に過度の応力を生じさせずにこれを扱うことができ、このような切り欠き部８は、ＰＣカード１が装着された状態で、ＳＩＭカード２が装着されているか否かを認知させるという利点を有する。
【００３５】
さらに、本実施形態によれば、チップスロット７の挿入口を、ＰＣ１０の側面と近接する位置でこれに対向配置したことから、ＰＣカード１がＰＣ１０に装着された状態で、このＰＣカード１からＳＩＭカード２が抜き取られるという誤操作を防止できる。
【００３６】
次に、本発明の情報機器用端末の好ましい他の一実施形態（第２実施形態）を図３及び図４を参照して説明する。
【００３７】
図３（ａ）は、第２実施形態のＰＣカード（情報機器用端末）の概略構成を示す平面図、図３（ｂ）は、図３（ａ）におけるＰ部分の拡大図である。
図４（ａ）は、図３（ａ）の線分Ｘ−Ｘに沿った右側面断面図、図４（ｂ）は、図３（ａ）の線分Ｙ−Ｙに沿った正面断面図である。
【００３８】
図３（ａ）に示すように、本実施形態（第２実施形態）のＰＣカード１Ａは、主に、カード本体部３にスライド用凹部３０を設けた点、これに伴って、カード拡張部４等の構成が上記第１実施形態と異なっている。
以下、この点について詳述し、その他の構成等については、上記第１実施形態と同符号を付してその説明を省略する。
【００３９】
図３（ａ）（ｂ）又は図４（ａ）（ｂ）に示すように、本実施形態の場合、カード本体部３には、スライド用凹部３０が設けられている。
スライド用凹部３０は、ＳＩＭカード２をカード拡張部４のチップスロット７に導くためのもので、カード拡張部４とカード本体部３の境界部分（基準対向面４ａの部分）からカード端子部３ａ側にわたり、ＳＩＭカード２の外形より若干大きめの領域を占めてＳＩＭカード２がカード本体部３に埋め込まれるように配設されている。
【００４０】
スライド用凹部３０は、カード本体部３に設けられた矩形の貫通孔３３を有し、この貫通孔３３の両側に配設された一対のサイドスライド部３１、３１と、その貫通孔３３の後方側（カード端子側）に配設されたエンドスロープ部３２とから構成されている。
ここに、本実施形態において、スライド用凹部３０の「凹部」の意義は、カード本体部３の表面が部分的にくぼんで底がある場合のほか、カード本体部３が貫通して底が無い場合をも含めたものであり、後者の方が、カード本体部３を構成する部材の厚さや、プリント基板９の厚さに影響されずに、チップスロット７の挿入口への導入位置を調整できる点で有利である。
【００４１】
サイドスライド部３１は、カード本体部３の上面から段差状に下がったブロック片状に形成され、ＳＩＭカード２の側縁部分と当接するように、そのブロック片の長さがＳＩＭカード２の長さより大きく、他方のサイドスライド部３１との間隔がＳＩＭカード２の幅より小さく設定されている。
【００４２】
サイドスライド部３１の厚さ（高さ）は、この上面が、プリント基板９の上面とほぼ同一面上になるように設定されている。
これに対し、チップスロット７は、チップケース部７ａの導入面（底部分の上面）が、サイドスライド部３１の上面と略同一面上になるように、配置されている。
【００４３】
エンドスロープ部３２は、カード本体部３の上面からサイドスライド部３１の上面に向かって斜め下方に傾斜したスロープ状に形成され、ＳＩＭカード２の後端部分と当接しこれをサイドスライド部３１上に滑らせるようになっている。
【００４４】
なお、本実施形態のチップケース部７ａは、上記第１実施形態の場合よりも低い位置（プリント基板により近い位置）に配置され、これに対応して、カード拡張部４の厚さ（高さ）も、上記第１実施形態の場合よりも小さく設定されている。
また、プリント基板９には、逃げ孔９ｂが、スライド用凹部３０と干渉しない大きさで形成されている（図３（ａ）（ｂ）参照）。
【００４５】
このような構成を有する本実施形態においては、ＳＩＭカード２を装着する際、ＳＩＭカード２をスライド用凹部３０内に落としてから、ＳＩＭカード２を指で軽く押さえながらカード拡張部４側に向けて滑らせると、ＳＩＭカード２は、サイドスライド部３１及びエンドスロープ部３２の案内により、チップスロット７内に滑り込み、そのまま、ＳＩＭカード２の接続端子２ａがプリント基板９の接続端子９ａ上に配置されこれと電気的接続する。
【００４６】
本実施形態の場合、カード本体部３にスライド用凹部３０を設け、これによりＳＩＭカード２をチップスロット７に導入するようにしたため、ＳＩＭカード２を指で摘まなくてもこれを指で滑らせるだけでチップスロープ７内に簡便に装着でき、また、ＳＩＭカード２に過度の応力を生じさせずに安全に装着できる。
【００４７】
特に、サイドスライド部３１の案内により、ＳＩＭカード２をプリント基板９上に導いてこれに載置するようにしたことから、プリント基板９の接続端子の厚さを小さくでき、これに伴って、カード拡張部４の厚さをも小さくできる。
【００４８】
また、本実施形態の場合、カード拡張部４の切り欠き部８でＳＩＭカード２の後端部部を露出させると共に、その露出したＳＩＭカード２の後端部分を、スライド用凹部３０の貫通孔３３により、指で摘みやすくしたため、ＳＩＭカード２を簡便且つ安全に抜き取ることができる。
【００４９】
その他のＰＣカード１Ａの構成及び作用効果は、上記第１実施形態と同様である。
【００５０】
次に、本発明の情報機器用端末の好ましい他の一実施形態（第３実施形態）を図５を参照して説明する。
【００５１】
図５（ａ）は、第３実施形態のＵＳＢ通信端末（情報機器用端末）の概略構成を示す平面図、図５（ｂ）は、同ＵＳＢ通信端末の右側面図、図５（ｃ）は、同ＵＳＢ通信端末がＰＣに装着された状態を示す平面図である。
【００５２】
図５（ａ）〜（ｃ）に示すように、本実施形態（第３実施形態）のＵＳＢ通信端末１Ｂは、ボックス型端末であり、端末本体部１５と、ＵＳＢプラグ１７とからなる。
【００５３】
端末本体部１５は、上記第１、第２実施形態と同様、プリント基板、内部アンテナ等（以上、図示しない）が内蔵され、インジケータ５が外表面に形成されている。
ＵＳＢプラグ１７は、ＵＳＢ（Universal Serial Bus）方式のＰＣ１０のＵＳＢスロット（図示しない）内に装着され、この奥部のＵＳＢポートと電気的接続するものである。
【００５４】
端末本体部１５の一側面には、段差部１６を介してＵＳＢプラグ１７が取り付けられている。
この端末本体部１５の当該一側面は、上記第１、第２実施形態の「基準対向面４ａ」に相当し、本実施形態において、「基準対向面１５ａ」とする。
段差部１６は、ＵＳＢプラグ１７がＵＳＢスロットに装着された場合、端末本体部１５の基準対向面１５ａと、ＵＳＢスロットの挿入口と同一面上のＰＣ１０の側面１０ａとの間隔を、指を挿入できない程度の小さい隙間にしている。
【００５５】
本実施形態の場合、端末本体部の基準対向面１５ａには、上記第１、第２実施形態と同様のチップスロット７が設けられており、また、チップスロット７の挿入口と同一面上（基準対向面１５ａ）には、ＳＩＭカード２をチップスロット７から排出するためのイジェクトボタン（操作部）１８が設けられている。
【００５６】
このイジェクトボタン１８は、基準対向面１５ａから出没するもので、ＳＩＭカード２の装着に伴ってチップカード部７ａ（図１（ａ）参照）がＳＩＭカード２の挿入方向Ａ−に移動した場合、イジェクトボタン１８が突出して配置される。
一方、このイジェクトボタン１８は、押下により内部に入り込んだ場合、チップカード部７ａをＳＩＭカード２の抜取方向Ａ＋に移動させ、チップスロットの挿入口から突出させるようになっている。
【００５７】
以上述べたように、本実施形態によれば、端末本体部１５に、チップスロット７を設けてこの挿入口を基準対向面１５上になるようにし、このチップスロット７にＳＩＭカード２を装着するようにしたことから、ボックス型端末であっても、上記ＰＣカード１、１Ａと同様に、ＵＳＢプラグ１７がＵＳＢポートに装着されてＵＳＢ通信端末１Ｂが動作している間、この端末本体部１５からＳＩＭカード２が抜き取られるという誤操作を防止できる。
【００５８】
特に、本実施形態の場合、イジェクトボタン１８をチップスロット７の挿入口と共に基準対向面１５ａに設けたことから、ＵＳＢプラグ１７がＵＳＢポートに装着された状態では、操作者がイジェクトボタン１８を触れることができないため、ＵＳＢ通信端末１Ｂの動作中、ＳＩＭカード２の排出を防止できる。
【００５９】
その他のＵＳＢ通信端末１Ｂの主要な点についての構成及び作用効果は、上記第１、第２実施形態と同様である。
【００６０】
本発明は、上記第１〜第３実施形態に限られることなく、種々の変更等を行うことができる。
【００６１】
本発明は、チップスロットの口元部分における切り欠き部を、上記第１、第２実施形態のＰＣカードに設けたが、上記第３実施形態のＵＳＢ通信端末に設けてもよい。
この切り欠き部は、ＳＩＭカード（チップカード）が装着された状態でこの後端部分（挿入口側部分）を露出させる機能を有しているが、このような機能は、さらに、露出したＳＩＭカードの後端部分を摘んで抜き取りやすくさせるという機能と、ＳＩＭカードの後端部分を露出してＰＣカード等がＰＣに装着された状態でＳＩＭカードが装着されているか否か認知させる機能とに分けられる。
【００６２】
そして、前者の機能（ＳＩＭカードの抜取性）をさらに向上させるために、本発明では、イジェクトボタン（操作部）を、上記第３実施形態のＵＳＢ通信端末（情報機器用端末）に設け、ＳＩＭカードを装着した場合に、イジェクトボタンを突出させ、この突出したイジェクトボタンの操作によりＳＩＭカードを排出させるようにしたが、このようなイジェクトボタンを、上記第１、第２実施形態のＰＣカード（情報機器用端末）に設けてもよい。
本発明は、これに限られず、別の観点から、例えば上記第３実施形態においては、ＳＩＭカードが装着されていない状態で、イジェクトボタンを段差部からはみ出て突出させ、このようなイジェクトボタンを、ＵＳＢプラグの装着の際にＰＣ（情報機器）の端面に当接させて、ＳＩＭカードの未装着を操作者に認知させるようにしてもよい。
この点は、上記第１、第２実施形態についても同様である。
【００６３】
一方、上記のＳＩＭカードの一部を露出させる機能のうち、後者の機能（ＳＩＭカードの認知性）をさらに向上させるために、ＳＩＭカードが装着される上側の部分（上記第１、第２実施形態では、チップケース部の天面部分、及びこれに対応したカード本体部の天面部分）を透明又は半透明にしてもよい。
【００６４】
また、本発明は、チップスロットを、上記第１〜第３実施形態のように、ＳＩＭカードの後端部分を基準対向面上又はこれより内側に配置させるように構成することが好ましいが、これに限られず、ＳＩＭカードの後端部分を基準対向面からはみ出させるように構成してもよい。
この場合、ＳＩＭカードの上記抜取性及び認知性をさらに向上させるという利点がある。
ただし、ＳＩＭカードのはみ出し量は、ＰＣの端面に当接しない範囲に限られる。
【００６５】
本発明は、ＰＣカードのようにカード型端末、又はＵＳＢ通信端末のようにボックス型端末に適用されるものであるが、これに限られず、情報機器内でこれと電気的接続する接続部と、この接続部が電気的接続された状態で情報機器の側面から張り出したボックス部とを備えた情報機器用端末であれば、これに適用されるものである。
【符号の説明】
【００６６】
２              ＳＩＭカード（チップカード）
３              カード本体部
３ａ            カード端子部
４              カード拡張部
７              チップスロット
８              切り欠き部
９              プリント基板（回路基板）
１０              ＰＣ（情報機器）
１１              ＰＣスロット（カードスロット）
１５              端末本体部
１７              ＵＳＢプラグ
１８              イジェクトボタン（操作部）
３０              スライド用凹部
３１              サイドスライド部
３２              エンドスロープ部
３３              貫通孔
【図１】
0005455861.tif 000002
【図２】
0005455861.tif 000003
【図３】
0005455861.tif 000004
【図４】
0005455861.tif 000005
【図５】
0005455861.tif 000006